(57)【要約】【課題】センサーの検知により吐水の態様を変更するにあたって誤動作が生じ難い水栓装置を提供する。【解決手段】吐水部３から吐出される水の態様を変更する吐水態様変更手段を備える。吐水部３を挟んだ両側のうちの一方側を検知領域として該検知領域に存在する人体の一部を非接触で検知するセンサー６１並びに吐水部３を挟んだ両側のうちの他方側を検知領域として該検知領域に存在する人体の一部を非接触で検知するセンサー６２を備える。両センサー６１、６２のうちの一方のセンサーで人体の一部を検知したときに吐水態様変更手段を制御して吐水部３の吐水態様を変更する。他方のセンサーで人体の一部を検知したときに吐水態様変更手段を制御して吐水部３の吐水態様を前記一方のセンサーで人体の一部を検知したときとは異なる態様に変更する。【選択図】図１
2014114582.tif 000002
【特許請求の範囲】
【請求項１】
水を吐出する吐水部、この吐水部から吐出される水の態様を変更する吐水態様変更手段、前記吐水部を挟んだ両側のうちの一方側を検知領域として該検知領域に存在する人体の一部を非接触で検知するセンサー並びに前記吐水部を挟んだ両側のうちの他方側を検知領域として該検知領域に存在する人体の一部を非接触で検知するセンサー、及び前記両センサーのうちの一方のセンサーで人体の一部を検知したときに前記吐水態様変更手段を制御して前記吐水部の吐水態様を変更し且つ他方のセンサーで人体の一部を検知したときに前記吐水態様変更手段を制御して前記吐水部の吐水態様を前記一方のセンサーで人体の一部を検知したときとは異なる態様に変更する制御部を備えたことを特徴とする水栓装置。
【請求項２】
前記吐水態様変更手段として前記吐水部の吐水量を変更する吐水量変更手段を備え、前記制御部が、前記両センサーのうちの一方のセンサーで人体の一部を検知したときに前記吐水量変更手段を制御して前記吐水量を増加させ且つ他方のセンサーで人体の一部を検知したときに前記吐水量変更手段を制御して前記吐水量を減少させることを特徴とする請求項１に記載の水栓装置。
【請求項３】
前記吐水態様変更手段として前記吐水部の吐水温度を変更する吐水温度変更手段を備え、前記制御部が、前記両センサーのうちの一方のセンサーで人体の一部を検知したときに前記吐水温度変更手段を制御して前記吐水部の吐水温度を上げ且つ他方のセンサーで人体の一部を検知したときに前記吐水温度変更手段を制御して前記吐水部の吐水温度を下げることを特徴とする請求項１に記載の水栓装置。
【請求項４】
前記吐水態様変更手段として前記吐水部による吐水の有無を切り替える吐水切替手段を備え、前記制御部が前記両センサーのうちの一方のセンサーで人体の一部を検知したときに前記吐水切替手段を制御して前記吐水部から水を吐出し且つ他方のセンサーで人体の一部を検知したときに前記吐水切替手段を制御して前記吐水部からの吐水を停止することを特徴とする請求項１に記載の水栓装置。
【請求項５】
前記制御部は、前記一方のセンサーによって人体の一部を検知した際及び前記他方のセンサーによって人体の一部を検知した際において、その検知時間が長くなる程前記吐水量変更手段による吐水部の吐水量の変化量を増やすことを特徴とする請求項２に記載の水栓装置。
【請求項６】
前記制御部は、前記一方のセンサーによって人体の一部を検知した際及び前記他方のセンサーによって人体の一部を検知した際において、その検知時間が長くなる程前記吐水温度変更手段による吐水部の吐水温度の変化量を増やすことを特徴とする請求項３に記載の水栓装置。
【請求項７】
前記両センサーが限定反射型光電センサーであることを特徴とする請求項１乃至６のいずれか１項に記載の水栓装置。
【請求項８】
前記吐水部は、先端部に水を吐出する吐水口が設けられたスパウトを有し、このスパウトに前記両センサーが設けられたことを特徴とする請求項１乃至７のいずれか１項に記載の水栓装置。
【発明の詳細な説明】
【技術分野】
【０００１】
本発明は人体の一部を検知するセンサーの検知結果に基づいて吐水態様を変化させる水栓装置に関する。
【背景技術】
【０００２】
特許文献１には自動水栓が開示されている。この自動水栓の吐水管の上面には、上方に差し出された手を検知する原水用センサーと浄水用センサーとが設けられている。この自動水栓は、原水用センサーで手を検知する度に吐水口からの原水の吐出と吐出の停止を交互に行う。また、浄水用センサーで手を検知する度に吐水口からの浄水の吐出と吐出の停止を交互に行う。
【先行技術文献】
【特許文献】
【０００３】
【特許文献１】特開２００７−１５４５８７号公報
【発明の概要】
【発明が解決しようとする課題】
【０００４】
ところで、特許文献１に開示される原水用センサー及び浄水用センサーは共に吐水管の上面に設けられており、つまり全てのセンサーが吐水管の上面に設けられている。このため、吐水管の上方に手をかざしたときに、利用者が意図するセンサーとは別のセンサーによって手が検知される可能性があり、これにより誤動作を招く恐れがある。
【０００５】
本発明は前記事情に鑑みてなされたものであって、センサーの検知により吐水の態様を変更するにあたって誤動作が生じ難い水栓装置を提供することを課題とする。
【課題を解決するための手段】
【０００６】
前記課題を解決するために本発明の水栓装置は、水を吐出する吐水部、この吐水部から吐出される水の態様を変更する吐水態様変更手段、前記吐水部を挟んだ両側のうちの一方側を検知領域として該検知領域に存在する人体の一部を非接触で検知するセンサー並びに前記吐水部を挟んだ両側のうちの他方側を検知領域として該検知領域に存在する人体の一部を非接触で検知するセンサー、及び前記両センサーのうちの一方のセンサーで人体の一部を検知したときに前記吐水態様変更手段を制御して前記吐水部の吐水態様を変更し且つ他方のセンサーで人体の一部を検知したときに前記吐水態様変更手段を制御して前記吐水部の吐水態様を前記一方のセンサーで人体の一部を検知したときとは異なる態様に変更する制御部を備えたことを特徴とする。
【０００７】
また、前記吐水態様変更手段として前記吐水部の吐水量を変更する吐水量変更手段を備え、前記制御部が、前記両センサーのうちの一方のセンサーで人体の一部を検知したときに前記吐水量変更手段を制御して前記吐水量を増加させ且つ他方のセンサーで人体の一部を検知したときに前記吐水量変更手段を制御して前記吐水量を減少させることが好ましい。
【０００８】
また、前記吐水態様変更手段として前記吐水部の吐水温度を変更する吐水温度変更手段を備え、前記制御部が、前記両センサーのうちの一方のセンサーで人体の一部を検知したときに前記吐水温度変更手段を制御して前記吐水部の吐水温度を上げ且つ他方のセンサーで人体の一部を検知したときに前記吐水温度変更手段を制御して前記吐水部の吐水温度を下げることが好ましい。
【０００９】
また、前記吐水態様変更手段として前記吐水部による吐水の有無を切り替える吐水切替手段を備え、前記制御部が前記両センサーのうちの一方で人体の一部を検知したときに前記吐水切替手段を制御して前記吐水部から水を吐出し且つ他方のセンサーで人体の一部を検知したときに前記吐水切替手段を制御して前記吐水部からの吐水を停止することが好ましい。
【００１０】
また、前記制御部は、前記一方のセンサーによって人体の一部を検知した際及び前記他方のセンサーによって人体の一部を検知した際において、その検知時間が長くなる程前記吐水量変更手段による吐水部の吐水量の変化量を増やすことが好ましい。
【００１１】
また、前記制御部は、前記一方のセンサーによって人体の一部を検知した際及び前記他方のセンサーによって人体の一部を検知した際において、その検知時間が長くなる程前記吐水温度変更手段による吐水部の吐水温度の変化量を増やすことが好ましい。
【００１２】
また、前記両センサーが限定反射型光電センサーであることが好ましい。
【００１３】
また、前記吐水部は、先端部に水を吐出する吐水口が設けられたスパウトを有し、このスパウトに前記両センサーが設けられることが好ましい。
【発明の効果】
【００１４】
本発明にあっては、吐水部の両側の検知領域のうちの一方に手等を入れて吐水態様を変更したり、他方に手等を入れて吐水態様を前記一方に手等を入れた場合とは異なる態様に変更したりすることができる。また、両センサーを吐水部の両側に分けて設けることができ、両センサーのうちの一方のセンサーにかざした手が他方のセンサーで検知され難くなる。
【図面の簡単な説明】
【００１５】
【図１】本発明の実施形態の水栓装置を設置した流し台の要部斜視図である。
【図２】同上の水栓装置が設けられた流し台の断面図である。
【図３】同上の水栓装置の構成図である。
【図４】同上の水栓装置の上方から見たときのセンサーの検知領域を示した説明図である。
【発明を実施するための形態】
【００１６】
以下、本発明を添付図面に基づいて説明する。図１及び図２には、本実施形態の水栓装置１が設けられた流し台２が示されている。なお、以下では水栓装置１を流し台２に設置した状態における方向を基準にして説明し、流し台２から見て利用者が立つ側を前方として説明する。また、以下の説明における左右方向は流し台２を利用する利用者から見た方向を基準にしたものである。
【００１７】
流し台２の上部には、流し台２の上方に開口するシンク２０が設けられている。水栓装置１は流し台２の上方よりシンク２０に水を供給するものであって、利用者はこの水を利用してシンク２０内で食器や調理器具、食材等の被洗浄物を洗浄する。
【００１８】
図３に示されるように水栓装置１が備える吐水系統は、シンク２０に水を吐出する吐水部３、吐水部３に水を供給する配管系４、及び配管系４に設けられた弁５を有している。また、水栓装置１は、センサー６や、センサー６の検知結果に基づいて弁５を制御する制御部７を備えている。
【００１９】
水栓装置１の本体を構成する吐水部３は、図１に示されるようにシンク２０の後端部に設けられている。吐水部３は、シンク２０の槽部２００の上端部より後方に突出したフランジ部２０１上に設けられている。吐水部３は、シンク２０のフランジ部２０１から立ち上がるベース３０と、ベース３０の上端面から立ち上がるスパウト３１を有している。なお、図示例の吐水部３はシンク２０に設けられているが、例えば流し台２の上面においてシンク２０の後方に位置する部分に設けてもよい。
【００２０】
ベース３０は吐水部３の突出基部を構成している。ベース３０は縦長であって、その前後寸法は下端部から上側に行く程大きくなっている。ベース３０は、下端部よりも上方の部分が前後寸法よりも左右寸法が短くなっており、平面視で前後に長い形状である。
【００２１】
スパウト３１は平面視においてシンク２０の槽部２００に後方から突出している。スパウト３１は側面視逆Ｕ字状に湾曲した管状に形成されており、ベース３０から上方に突出した後に前側において下方に折り返されている。スパウト３１の先端部には下方に開口する吐水口３１０が設けられている。
【００２２】
吐水口３１０はベース３０の前側で且つシンク２０の槽部２００の上方に位置している。吐水部３の内部には吐水口３１０に水を供給する吐水路（不図示）が形成されている。
【００２３】
図２に示されるように配管系４は流し台２の内部に設けられている。配管系４は、図３に示されるように水道管から水道水が供給される給水管４０、給湯器から湯が供給される給湯管４１、及び水供給管４２を有している。給水管４０の下流端と給湯管４１の下流端は水供給管４２の上流側端部に接続されている。水供給管４２には給水管４０の水と給湯管４１の湯が供給される。水供給管４２はその下流端が前記吐水部３の吐水路の上流端に接続されている。給水管４０の水と給湯管４１の湯を混合して得られた混合水は水供給管４２から前記吐水路を介して吐水口３１０に供給される。
【００２４】
配管系４は、給水管４０と水供給管４２を接続するバイパス管４３を有している。バイパス管４３には手動弁５０が設けられている。停電や故障等の際に手動弁５０を開くことで、給水管４０の水をバイパス管４３及び水供給管４２を介して吐水口３１０から吐出できるようになっている。
【００２５】
図２に示されるように配管系４の一部には弁ブロック８が設けられている。図３に示されるように弁ブロック８は、弁５として、手動弁５０の他、弁５１〜５３を有している。
【００２６】
弁５１は給水管４０に設けられた給水流量調整用の電動弁であり、その開度を変えることで給水管４０から水供給管４２に供給される水の流量が変更される。弁５２は給湯管４１に設けられた給湯流量調整用の電動弁であって、その開度を変えることで給湯管４１から水供給管４２に供給される湯の流量が変更される。
【００２７】
前記のように弁５１及び弁５２の開度を調節することで、給水管４０及び給湯管４１から水供給管４２に供給される湯水の混合比を調節して、吐水口３１０から吐出される水の温度を調節することができる。すなわち、本実施形態では、弁５１及び弁５２が吐水部３の吐水態様の一つである吐水温度を変更するための吐水温度変更手段を構成している。
【００２８】
また、弁５１及び弁５２の開度を調節することで、給水管４０及び給湯管４１から水供給管４２に供給される水の量を調節して、吐水口３１０から吐出される水の量を調節することができる。つまり、本実施形態では弁５１及び弁５２が吐水部３の吐水態様の一つである吐水量を変更するための吐水量変更手段を構成している。
【００２９】
弁５３は水供給管４２に設けられた電磁弁であって、開閉することで水供給管４２に供給された水を吐水口３１０に供給するか否か、すなわち、吐水口３１０から水を吐出するか否かが切り替えられるようになっている。すなわち、本実施形態では、弁５３が吐水部３の吐水態様の一つである吐水の有無を切り替えるための吐水切替手段を構成している。
【００３０】
なお、弁ブロック８には、給水管４０や給湯管４１に設けられた逆止弁５４が設けられている。また、図３中符号９は測定するサーミスタである。このサーミスタ９は、例えば湯温を調整するにあたって弁５１及び弁５２のフィードバック制御する際に用いられる。
【００３１】
図１や図４に示されるように吐水部３にはセンサー６としてセンサー６０〜６４が設けられている。各センサー６０〜６４は人体の一部を非接触で検知する人感センサーである。なお、これらセンサー６０〜６４は人体の一部だけでなく、皿等の物体も検知できる。
【００３２】
各センサー６０〜６４は、例えば赤外線を用いた限定反射型光電センサーで構成される。限定反射型光電センサーは図示しない投光部と受光部を有し、強い受光出力を得るために投受光の指向角度を小さくしたものであり、投光軸と受光軸が比較的大きな角度で交差する。このため、限定反射型光電センサーの動作領域（検知領域）は、投光光芒と受光光芒が交差する限られた距離範囲のみの領域（限定領域）に限定される。
【００３３】
図１に示されるように吐水部３のスパウト３１にはセンサー設置部３３が設けられている。センサー設置部３３は逆Ｕ字状のスパウト３１の下方に折り返した前部から後方に突出して設けられている。
【００３４】
センサー設置部３３は、図４に示されるように平面視でスパウト３１の前部と重複している。センサー設置部３３にはセンサー６０が設けられている。センサー６０はセンサー設置部３３の下方領域、具体的には、スパウト３１の吐水口３１０の下側で且つシンク２０（槽部２００）の底部上側であって吐水口３１０から水が吐出される領域を検知領域６００（図１参照）とし、検知領域６００に人体の一部や皿等が入ったときにこれを検知する。
【００３５】
図４に示されるようにセンサー設置部３３には、センサー６０に加えて、左右一対のセンサー６１、６２が設けられている。センサー６１はセンサー設置部３３の右側面部に設けられている。センサー６１はセンサー設置部３３の右側を検知領域６１０とし、検知領域６１０に存在する人体の一部を検知する。すなわち、センサー６１はスパウト３１の右側に人体の一部である手等が入ったときにこれを検知する。センサー６２はセンサー設置部３３の左側を検知領域６２０とし、検知領域６２０に存在する人体の一部を検知する。すなわち、センサー６２はスパウト３１の左側に人体の一部である手等が入ったときにこれを検知する。
【００３６】
吐水部３のベース３０には左右一対のセンサー６３、６４が設けられている。センサー６３はベース３０の右側面部に設けられている。センサー６３はベース３０の右側の領域を検知領域６３０とし、検知領域６３０に存在する人体の一部を検知する。すなわち、センサー６３はベース３０の右側に人体の一部である手等が入ったときにこれを検知する。センサー６４はベース３０の左側面部に設けられている。センサー６４はベース３０の左側の領域を検知領域６４０とし、検知領域６４０に存在する人体の一部を検知する。すなわち、センサー６４はベース３０の左側に人体の一部である手等が入ったときにこれを検知する。
【００３７】
センサー６１の検知領域６１０とセンサー６２の検知領域６１０、センサー６３の検知領域６３０とセンサー６４の検知領域６４０は左右対称位置に存在する。また、センサー６３の検知領域６３０はセンサー６１の検知領域６１０の後斜め下方に存在し、
センサー６４の検知領域６４０はセンサー６２の検知領域６２０の後斜め下方に存在する。
【００３８】
図３に示される制御部７は、例えば吐水部３又は弁ブロック８に設けられる。なお、制御部７は、吐水部３や弁ブロック８以外の箇所に設けてもよい。制御部７には弁５１〜５３及びセンサー６０〜６４が電気的に接続されている。
【００３９】
各センサー６０〜６４は対応する検知領域に人体の一部が存在するか否かを常時又は間欠的に検知し、この検出結果を制御部７に伝える。制御部７は吐水部３に設けられたセンサー６０の検知結果に基づいて水供給管４２に設けられた弁５３を制御して、吐水部３による吐水の有無を切り替える。すなわち、センサー６０がその検知領域６００である吐水口３１０下側領域に入った人体の一部や皿等を検知したとき、制御部７は水供給管４２に設けられた弁５３を開き、給水管４０及び給湯管４１の両方又は一方から水供給管４２に供給された水を吐水口３１０から吐出開始する。また、センサー６０がその検知領域６００において人体の一部等を検知しないとき、制御部７は水供給管４２に設けられた弁５３を閉じた状態にし、吐水口３１０からの水の吐出を停止状態とする。従って、利用者が水栓装置１を利用するにあたって吐水口３１０から水を吐出するには、吐水口３１０下側の領域に手を入れ、この手をセンサー６０に検知させればよい。また、吐水口３１０からの水の吐出を停止するには、吐水口３１０下側の検知領域６００にある手を検知領域６００の外側へ移動すればよい。
【００４０】
制御部７は、センサー設置部３３の左右に設けられたセンサー６１、６２の検知結果に基づいて給水管４０に設けられた弁５１及び給湯管４１に設けられた弁５２を制御し、これにより吐水部３の吐水量を制御する。すなわち、センサー６１がその検知領域６１０であるスパウト３１の右側領域に入った人体の一部を検知したとき、制御部７は弁５１及び弁５２の開度を大きくする。これにより吐水口３１０から吐出される水の量は増加した値に設定される。このときは例えば弁５１の開度（開口面積）と弁５２の開度（開口面積）の比を維持したまま弁５１及び弁５２の開度を大きくすることで、吐水温度が維持される。また、センサー６２がその検知領域６２０であるスパウト３１の左側の領域に入った人体の一部を検知したとき、制御部７は弁５１及び弁５２の開度を小さくする。これにより吐水口３１０から吐出される水の量は減少した値に設定される。なお、このときも吐水温度は維持される。従って、利用者が吐水部３から吐出される水の量を多くするには、例えば吐水部３から水が吐出される前においてスパウト３１の右側方に手を入れてこの手をセンサー６１に検知させればよい。また、吐水部３から吐出される水の量を少なくするには、スパウト３１の左側方に手を入れてこの手をセンサー６２に検知させればよい。なお、吐水部３から水が吐出されているときにおいては、前記と同様にセンサー６１又はセンサー６２に手をかざすことで吐水量を変更できるようにしてもよいし、変更不能としてもよい。
【００４１】
ところで、前記吐水量の変更はセンサー６１、６２により人体の一部を検知する度に行われる。しかし、吐水量を複数段階増加させる場合及び吐水量を複数段階減少させる場合に、その都度センサー６１、６２に手をかざすと動作回数が増えて煩雑になる可能性がある。そこで、センサー６１、６２により人体の一部を検知する時間が予め設定された時間よりも長くなったとき前記吐水部３の吐水量の変更量を増加させてもよい。このようにすることで、センサー６１、６２に手を長時間かざすだけで、吐水部３の吐水量を大きく変更することができ、センサー６１、６２に手をかざす動作回数を少なくすることができる。なお、前記吐水量の変更量の増加は、センサー６１、６２により人体の一部を一度検知したときにおいて、一段階のみ行われるものであってもよいし、複数段階行われるものであってもよい。ここで、後者の場合は、センサー６１、６２による人体の検知時間が長くなる程吐水量の変更量が増加することとなる。
【００４２】
制御部７は、吐水部３のベース３０の左右に設けられたセンサー６３、６４の検知結果に基づいて給水管４０に設けられた弁５１及び給湯管４１に設けられた弁５２を制御し、これにより吐水部３の吐水温度を制御する。センサー６３がその検知領域６３０であるベース３０右側の領域に入った人体の一部を検知したとき、制御部７は、弁５１の開度と弁５２の開度のうちの一方又は両方を変化させ、これにより吐水口３１０から吐出される水の温度が上昇した値になるようにする。このとき例えば弁５１の開口面積と弁５２の開口面積の和を維持する等して、吐水部３の吐水流量は維持される。また、センサー６４がその検知領域６４０であるベース３０左側の領域に入った人体の一部を検知したとき、制御部７は、弁５１の開度と弁５２の開度のうちの一方又は両方を変化させ、これにより吐水口３１０から吐出される水の温度が減少した値になるようにする。このときも吐水部３の吐水流量は維持される。従って、利用者が吐水部３から吐出される水の温度を高くするには、例えば吐水部３から水が吐出される前においてベース３０の右側方に手を入れてこの手をセンサー６３に検知させればよい。また、吐水部３から吐出される水の温度を低くするには、ベース３０の左側方に手を入れてこの手をセンサー６４に検知させればよい。なお、吐水部３から水が吐出されているときにおいては、前記のようにセンサー６３又はセンサー６４に手を検知させて吐水温度を変更できるようにしてもよいし、変更不能としてもよい。
【００４３】
ところで、前記吐水部３の吐水温度の変更は、センサー６３、６４により人体の一部を検知する度に行われる。しかし、この場合も吐水温度を複数段階上昇させる場合及び吐水温度を複数段階下降させる場合に、その都度センサー６３、６４に手をかざすことは動作回数が増えて煩雑になる可能性がある。そこで、センサー６３、６４により人体の一部を検知する時間が予め設定された時間よりも長くなったとき前記吐水部３の吐水温度の変更量を増加させてもよい。このようにすることで、センサー６３、６４に手を長時間かざすだけで、吐水部３の吐水温度を大きく変更することができ、センサー６３、６４に手をかざす動作回数を少なくすることができる。なお、前記吐水温度の変更量の増加は、センサー６３、６４により人体を一度検知したときにおいて、一段階のみ行われるものであってもよいし、複数段階行われるものであってもよい。ここで、後者の場合は、センサー６３、６４による人体の検知時間が長くなる程吐水温度の変更量が増加していくこととなる。
【００４４】
以上説明した本実施形態の水栓装置１は、吐水部３の吐水態様を変更する吐水態様変更手段として、弁５１及び弁５２で構成された吐水量変更手段を備えている。また、吐水部３を挟んだ両側のうちの一方側を検知領域６１０として検知領域６１０に存在する人体の一部を非接触で検知するセンサー６１を備えている。また、吐水部３を挟んだ両側のうちの他方側を検知領域６２０として検知領域６２０に存在する人体の一部を非接触で検知するセンサー６２を備えている。そして、制御部７はセンサー６１で人体の一部を検知したときに、弁５１及び弁５２を制御して吐水部３の吐水量を増加させる。また、センサー６２で人体の一部を検知したときに、弁５１及び弁５２を制御して吐水部３の吐水量を減少させる。この構成により、利用者は吐水部３の両側のうちの一方に手をかざして吐水量を増加させたり、他方に手をかざして吐水量を減少させたりすることができる。また、この場合、両センサー６１、６２を吐水部３の両側に分けて設けることができ、両センサー６１、６２のうちの一方のセンサーにかざした手が他方のセンサーで検知され難くなる。このため、センサー６１、６２の誤検知による誤動作が生じ難くなる。また、この場合、利用者は吐水部３に触れることなく吐水部３の吐水量を変更することができる。すなわち、利用者は被洗浄物を洗浄する際に手が濡れたり油や洗剤で手が汚れたりする恐れがあるが、この手で吐水部３を触って吐水部３を水で濡らしたり汚したりすることが生じ難くなる。
【００４５】
また、本実施形態の水栓装置１は、吐水部３から吐出される水の態様を変更する吐水態様変更手段として、弁５１、５２で構成された吐水温度変更手段を備えている。また、吐水部３を挟んだ両側のうちの一方側を検知領域６３０として検知領域６３０に存在する人体の一部を非接触で検知するセンサー６３を備えている。また、吐水部３を挟んだ両側のうちの他方側を検知領域６４０として検知領域６４０に存在する人体の一部を非接触で検知するセンサー６４を備えている。そして、制御部７は、センサー６１で人体の一部を検知したときに弁５１及び弁５２を制御して吐水部３の吐水温度を上げ且つセンサー６２で人体の一部を検知したときに弁５１及び弁５２を制御して吐水部３の吐水温度を下げる。この構成により、利用者は吐水部３の両側のうちの一方に手をかざして吐水温度を上げたり、他方に手をかざして吐水温度を下げたりすることができる。また、両センサー６３、６４を吐水部３の両側に分けて設けることができ、両センサー６３、６４のうちの一方のセンサーにかざした手が他方のセンサーで検知され難くなる。このため、センサー６３、６４の誤検知による誤動作が生じ難くなる。また、この場合、利用者は吐水部３に触れることなく吐水部３の吐水温度を変更することができる。このため、油や洗剤の付いた手で吐水部３を汚してしまうといったことが一層生じ難くなる。
【００４６】
また、本実施形態ではセンサー６１〜６４が限定反射型光電センサーである。このため、限定された検知領域６１０〜６４０に手が入った場合にのみこれをセンサー６１〜６４で検知することができる。従って、誤検知を抑制し、利用者が意図したとおりに吐水量や吐水温度を変更することが可能となる。
【００４７】
また、本実施形態の吐水部３は、先端部に水を吐出する吐水口３１０が設けられたスパウト３１を有し、スパウト３１にセンサー６１、６２が設けられている。このため、センサー６１、６２の検知領域６１０、６２０を利用者に近い位置にして、吐水量の変更を容易に行うことが可能になる。
【００４８】
なお、本実施形態では弁５１、５２を電動弁とし、弁５３を電磁弁としたが、弁５１〜５３は電磁弁又は電動弁のいずれの電気的駆動弁であってもよい。また、本実施形態では吐水量変更手段を弁５１、５２で構成したが、例えば弁５３を流量調整機能を備えた電動弁や電磁弁とし、この弁５３を吐水量変更手段としても構わない。また、吐水温度変更手段は、給水管４０から水供給管４２に供給される水の量を調節する弁５１と、給湯管４１から水供給管４２に供給される湯の量を調節する弁５２で構成したが、例えばその他の混合弁や加熱手段等によって構成してもよい。
【００４９】
また、センサー６０〜６４は可視光や超音波を用いたその他の人体検知センサーであってもよい。また、センサー６１、６２をベース３０の左右両側に、センサー６３、６４をスパウト３１の左右両側に設けても構わない。また、本実施形態ではセンサー６１の検知領域６１０をスパウト３１の右側とし、センサー６２の検知領域６２０をスパウト３１の左側とした。しかし、センサー６１の検知領域６１０をスパウト３１の左側とし、センサー６２の検知領域６２０をスパウト３１の右側としてもよい。同様にセンサー６３の検知領域６３０をベース３０の左側とし、センサー６４の検知領域６４０をベース３０の右側としてもよい。
【００５０】
また、本実施形態では、吐水部３の左右両側にセンサー６１〜６４を設け、吐水量及び吐水温度を変更可能にした。しかし、吐水部３の左右両側にセンサー６１、６２のみを設け、吐水量のみを変更可能にしてもよいし、吐水部３の左右両側にセンサー６３、６４のみを設け、吐水温度のみを変更可能にしてもよい。
【００５１】
また、本実施形態では、センサー６０の検知結果に基づいて吐水部３の吐水の有無を切り替えるようにした。しかし、センサー６０に代えて、吐水部３の吐水の有無を切り替えるためのセンサーを、センサー６１、６２や、センサー６３、６４と同様に、吐水部３の両側に設けてもよい。すなわち、この場合は、吐水部３の両側のセンサーのうちの一方が人体の一部を検知したときに吐水が開始され、他方が人体の一部を検知したときに吐水が停止される。なお、この場合、センサー６１〜６４を省略し、吐水の有無のみを変更可能にしてもよい。
【００５２】
また、センサー６０及び弁５３を省略し、センサー６１、６２の検知結果に基づいて弁５１及び弁５２を閉じた状態にできるようにし、これにより吐水の有無を切り替えられるようにしてもよい。このようにすることで、利用者は吐水部３の両側のうちの一方に手をかざして吐水を開始したり、他方に手をかざして吐水を停止させたりすることができる。なお、この場合、センサー６３、６４を省略し、吐水量及び吐水の有無のみ、又は吐水の有無のみを変更可能にしてもよい。
【００５３】
また、本発明の水栓装置１は流し台２に限られず洗面台等の従来から水栓が用いられるその他の箇所にも設置して利用してもよい。
【符号の説明】
【００５４】
１  水栓装置
３  吐水部
７  制御部
６１  センサー
６２  センサー
６３  センサー
６４  センサー
６１０  検知領域
６２０  検知領域
６３０  検知領域
６４０  検知領域
【図１】
2014114582.tif 000003
【図２】
2014114582.tif 000004
【図３】
2014114582.tif 000005
【図４】
2014114582.tif 000006